(57)【要約】【課題】      釣り魚容器の上面部にて魚の長さを測定した後、すぐに魚を収納できないこと。【解決手段】  釣り用バケツ１は、内部に魚を収納する収納部２ａを有する容器本体２を有しており、この容器本体２は、底面部２ｃ、側面部２ｂ、上面部６を有している。上面部６は、ファスナ９で開閉自在に閉じられ収納部２ａに通じる切開状の開口部６ａを有し、開口部６ａの一側に沿って魚の長さを測る目盛り７が付されている。目盛り７の一端側の基点となる位置には魚の先端部を突き当てるための凸部８が設けられている。【選択図】        図２
2006067880.tif 000002
【特許請求の範囲】
【請求項１】
内部に収納部を有する容器本体の上面部に切開状の開口部を設けると共に、魚の長さを測る目盛りが付されていることを特徴とする釣り用バケツ。
【請求項２】
目盛りは、開口部に沿って付されていることを特徴とする請求項１記載の釣り用バケツ。
【請求項３】
上面部は、柔軟性を有するシート状部材からなることを特徴とする請求項１または２記載の釣り用バケツ。
【請求項４】
上面部は、四角形に形成されており、開口部はその対角線方向に形成されていることを特徴とする請求項１乃至３記載の釣り用バケツ。
【請求項５】
開口部は、ファスナで開閉可能に形成されていることを特徴とする請求項１乃至４記載の釣り用バケツ。
【請求項６】
上面部は、周囲に壁を有していることを特徴とする請求項１乃至５記載の釣り用バケツ。
【請求項７】
上面部に魚の長さを測るために魚を突き当てる凸部を設けたことを特徴とする請求項１乃至６記載の釣り用バケツ。
【発明の詳細な説明】
【技術分野】
【０００１】
本発明は、釣った魚を収納するための釣り用バケツに関する。
【背景技術】
【０００２】
釣り用バケツは、釣り場で水を汲んだり、餌を収納したり、釣り具を収納したりする他に釣った魚を入れておくための魚入れとして使用されている。
最近は、釣り人の間で小さい魚は放してやることがマナーとして定着し、また、釣りの競技会も多数行われており、釣った魚の体長がすぐに計れるよう望まれている。
このため多くの釣り人はメジャーを持参しているが、測定のために魚を地面に置いてしまうため魚が傷付いてしまい、また、測定中に暴れ出すと魚を押さえるのが難しく、釣り用バケツ等の魚入れに収納するのに手間取っていた。
【０００３】
特許文献１の公報には、上面部に目盛りを付した釣り魚容器が記載されている。
ところが、この釣り魚容器は、上面部にて魚の長さを測定した後、上蓋の側面を周回するように設けたファスナを操作して開口部を開けて魚を容器内に収納しなければならず、また、生きた魚を持ちながら上記操作を行うことが困難でありすぐに魚を収納できず魚を弱らせるおそれがあった。
【特許文献１】実開昭４７−５９９２号公報
【発明の開示】
【発明が解決しようとする課題】
【０００４】
解決しようとする課題は、釣り魚容器の上面部にて魚の長さを測定した後、すぐに魚を収納できないことである。
【０００５】
本発明の目的は前記欠点に鑑み、魚の長さを測定した後すぐに魚を収納できる釣り用バケツを提供することである。
【課題を解決するための手段】
【０００６】
上記課題を解決するために、
請求項１に係わる本発明は、内部に収納部を有する容器本体の上面部に切開状の開口部を設けると共に、魚の長さを測る目盛りが付されていることを要旨とするものである。
請求項２に係わる本発明は、目盛りは、開口部に沿って付されていることを要旨とするものである。
請求項３に係わる本発明は、上面部は、柔軟性を有するシート状部材からなることを要旨とするものである。
請求項４に係わる本発明は、上面部は、四角形に形成されており、開口部はその対角線方向に形成されていることを要旨とするものである。
請求項５に係わる本発明は、開口部は、ファスナで開閉可能に形成されていることを要旨とするものである。
請求項６に係わる本発明は、上面部は、周囲に壁を有していることを要旨とするものである。
請求項７に係わる本発明は、上面部に魚の長さを測るために魚を突き当てる凸部を設けたことを要旨とするものである。
【発明の効果】
【０００７】
本発明により、釣った魚の長さを測定した後すぐに容器本体の内部の収納部に魚を収納できる
【発明を実施するための最良の形態】
【０００８】
以下、本発明の実施形態を図面に基づき説明すると、図１から図５は本発明の実施例で、図１は釣り用バケツの全体図、図２は蓋体を開けた釣り用バケツの斜視図、図３は釣り用バケツの側面断面図、図４は蓋と上面部の開口を開けた釣り用バケツの側面断面図、図５は釣り用バケツの容器本体の平面図である。
【０００９】
図１から図５によると、釣り用バケツ１は、内部に魚を収納する収納部２ａを有する容器本体２を有しており、この容器本体２は、底面部２ｃ、側面部２ｂ、上面部６を有している。
容器本体２は、柔軟性を有する合成樹脂で一体に、又は柔軟性を有する合成樹脂のシートの複数の部材を接合して形成して底面部２ｃ、側面部２ｂを形成し、上方の開口２ｅ側を柔軟性を有する合成樹脂のシートからなる上面部６で閉塞している。
容器本体２は防水性を有するように形成され収納部２ａに水を入れておくことができ、その側面部２ｂには釣り用バケツ１を携帯するためのＵ字状のハンドル５が設けられている。
【００１０】
側面部２ｄは、上方の開口２ｅにて開口２ｅに沿って設けたフレームＦで外側に折り返されて再び側面部２ｂの外側の上方側に止着されている。
開口２ｅには柔軟な合成樹脂のシート材からなる折り曲げ可能なヒンジ部材３ａで蓋体３が開閉自在に取り付けられ容器本体２の上面側及び上面部６の上方を覆っている。
この蓋体３は、周縁に沿ってファスナ（スライドファスナ）４が設けられており、閉じた時に容器本体２の側面部２ｂの上方側に沿って設けたファスナ（スライドファスナ）４と係合できるようになっている。
ただし、容器本体２は蓋体３を有していなくても良い。
【００１１】
容器本体２の上面部６は、容器本体２の形状に応じて平面視で四角形に形成され、容器本体２の上方側に開口２ｅが形成されるように、容器本体２の開口２ｅより低い位置の収納部側に下がった位置に形成されている。
したがって、上面部６の周囲には側面部２ｂの上方側にあたる壁２ｄが形成され、この上面部６の周囲から上方に立ち上がるように形成された壁２ｄによって囲まれている。
【００１２】
上面部６の周囲に沿ってファスナ１０が設けられ側面部２ｂの内側に沿って設けたファスナ１０と係合して側面部２ｂ内側の上方側に保持されており、上面部６はその周囲が支持されて平面状に張設されている。
ファスナ１０はスライドファスナで、その操作部によって開閉可能であり、ファスナ１０を開けることで上面部６を開けて収納部２ａの上方側を開くことができ、収納したものや魚を容易に取り出すことができる。
【００１３】
上面部６は、その上面側から収納部２ａに通じる切開状の開口部６ａを有しており、平面視で四角形に形成された上面部６の対角線方向に直線状に形成されている。
上面部６の切開状の開口部６ａは、開口部６ａに沿って設けたファスナ９で開閉自在に閉じられている。
開口部６ａのファスナ９はスライドファスナで、その操作部によって開閉可能であり、切開状の開口部６ａは、これを開いた場合、長手方向の中央側が広く開口し両端側になるにつれて開口状態が狭くなる。
【００１４】
また、上面部６は、開口部６ａ近傍に開口部６ａの一側に沿って目盛り７が付されており、この目盛り７は魚Ｓの長さを測るためのメジャーとなっている。
上面部６の目盛り７の一端側の基点となる位置には魚の先端部を突き当てるための壁状部８ａを有する凸部８が設けられており、この凸部８は、開口部６ａを挟んだ目盛り７の一端側の基点の対向位置に壁状部８ａを対角線方向に向けて設けられている。
なお、開口部６ａ近傍に開口部６ａの両側に沿ってそれぞれ目盛り７が付されていても良く、この場合は、凸部８は上面部６の目盛り７の一端側の基点となる位置に壁状部８ａを位置させて設けられる。
【００１５】
このように形成された釣り用バケツ１を使用する時は、蓋体３を開けた状態で釣り場に置いておき、魚が釣れた時は、魚Ｓを上面部６の上に置いてその長さを測定する。
魚が暴れても上面部６の周囲に壁２ｄが形成されているため魚の上面部６からの飛び出しを防止して測定を容易にする。
さらに、上面部６は平面視で四角形に形成しているため、その角に魚の頭部側を押しつけることが出来魚の動きを規制しやすい。
【００１６】
また、目盛り７を開口部６ａと共に対角線方向に設けたので魚の頭部側を角に押しつけたまま長さを測定することができる。
更に、そのまま魚の頭部側を凸部８（壁８ａ）に突き当てて魚を目盛り７に沿って配置すると正確に魚の長さを測定できる。
目盛り７を開口部６ａと共に対角線方向に設けたので開口部６ａが長くでき魚が入れやすくなり、メジャーを長くすることができる。
また、開口部６ａを直線状に形成したのでこれに沿って魚の向きを合わせて測定しやすい。
【００１７】
魚を測定した後、開口部６ａを開けて開口部６ａから収納部２ａに魚を投入しても良いが、魚を上面部６に置く前から開口部６ａを開けておけば、魚の長さを測定してそのまま魚を開口部６ａに向けて押せば開口部６ａを通じて素早く収納部２ａに魚を収納でき弱らせてしまうことが防止できる。
また、上面部６は柔軟性を有するシート状部材で形成しており、開口部６ａを開けた状態では、図４のように上面部６は開口部６ａに向かって落ち込むように傾斜しており、魚Ｓが開口部６ａに向かって移動しやすく矢印方向の収納部２ａに向かって滑り込んで行くため魚Ｓの収納が早くできる。
尚、上面部６は厚味が５ｍｍより薄い柔軟性を有する合成樹脂シート状部材が好ましいが柔軟性を有していれば発泡材等の上記以上の厚味の板シート部材も含む。
【００１８】
また、開口６ａはファスナ９で魚の大きさに応じて開口の大きさを調節できる。
なお、測定した結果、魚が小さいと放流することがあるが地面に置いた時のように魚を傷付けずに行うことができる。
容器本体２の収納部２ａには水を入れておき魚を生かしておくことができ、収納部２ａに入れた魚が不要な場合は、ファスナ１０の係合を解除し、上面部６を開ければ、魚を放すことが出来る。
なお、上面部６はファスナ１０を有しておらず開閉しない構造でもよく、この場合、開口６ａから魚を取り出すことができる。
【００１９】
なお、上面部６は、合成樹脂シート状部材で形成した例を説明したが、これ以外の材質のものでも良く、多孔質のシートであったり、また、網状に形成されているものであってもよい。
容器本体２は、柔軟性を有する部材で構成しているため折り曲げが可能であり、釣り用バケツ１は折り畳んで持ち運ぶことが出来る。
【産業上の利用可能性】
【００２０】
本発明は、釣り用バケツに利用できる。
【図面の簡単な説明】
【００２１】
【図１】釣り用バケツの全体図である。
【図２】蓋体を開けた釣り用バケツの斜視図である。
【図３】釣り用バケツの側面断面図である。
【図４】蓋と上面部の開口を開けた釣り用バケツの側面断面図である。
【図５】釣り用バケツの容器本体の平面図である。
【符号の説明】
【００２２】
１  釣り用バケツ
２  容器本体
６  上面部
６ａ  開口部
７  目盛り
８  凸部
【図１】
2006067880.tif 000003
【図２】
2006067880.tif 000004
【図３】
2006067880.tif 000005
【図４】
2006067880.tif 000006
【図５】
2006067880.tif 000007